(57)【特許請求の範囲】
【請求項１】
被測定信号のジッタを測定するデジタル式のジッタアナライザにおいて、
前記被測定信号のジッタを所定の測定周期で測定するジッタ測定回路と、
このジッタ測定回路に与える測定周期を設定する測定周期設定部と、
この測定周期および前記ジッタ測定回路での測定値をそれぞれ保存するメモリ部と、
ジッタ変化量と測定周期と分割数の関係を規定したメータ更新周期変換テーブルと、
測定周期ごとに、前記メモリ部に保存のデータからジッタ変化量を求め、前記メモリ部およびメータ更新周期変換テーブルを参照して前記分割数を決定し、その分割数に応じてメータ駆動用の補間データを作成し、測定周期を分割数で割った間隔で順次出力するデータ補間処理部と、
この補間データに応じて、パネル表面に取付けられているアナログ式のメータを駆動するメータ制御手段
を具備し、デジタル方式で測定したジッタがアナログ式のメータ上では連続的な動きで指示されるように構成したことを特徴とするジッタアナライザ。
【請求項２】
前記メモリ部は、ジッタ測定回路で測定した今回値と前回値とを個別に保存でき、前記データ補間処理部は前記前回値と今回値との差分からジッタ変化量を求めることができるように構成されたことを特徴とする請求項１記載のジッタアナライザ。
【請求項３】
前記測定周期設定部は、パネル面に設けられた押しボタンスイッチを操作することにより測定周期の値が設定できるように構成されたことを特徴とする請求項１記載のジッタアナライザ。
【発明の詳細な説明】
【０００１】
【発明の属する技術分野】
本発明は、ジッタアナライザに関し、特にアナログメータを有するデジタル式ジッタアナライザに関するものである。
【０００２】
【従来の技術】
従来より、例えばＤＶＤやＣＤ等の光ディスクの製造においてディスクの回転ムラや歪等により発生するような信号周期の変動（これをジッタという）を測定するジッタメータがある。
【０００３】
【発明が解決しようとする課題】
ところで、この種のジッタメータは、すべてアナログ式であるため、アナログ特性等の機器差等によりデータの再現性がなく、また確度が悪く、演算処理時間（換言すれば追従時間）も遅い等の短所を有していた。
【０００４】
デジタル式のジッタアナライザを用いてジッタを測定すれば再現性のある正確な測定が期待できるが、その反面次のような課題があった。
生産現場においては視覚的に分かり易いという理由からジッタ量の表示にはメータが用いられる。
しかし、デジタル式ジッタアナライザにメータを取り付け、メータをデジタル式に駆動しようとすると、メータの指針は離散的な動きになってしまい極めて見づらいという欠点がある。
【０００５】
本発明の目的は、上記の課題を解決するもので、従来のアナログジッタメータと変わらない操作性を持つと共に、測定データの測定周期およびデータの変化量に関係した更新周期でデータを補間処理しその補間データでメータを駆動することによりメータの連続的な動きが実現され、かつ確度に優れたジッタアナライザを提供することにある。
【０００６】
【課題を解決するための手段】
このような目的を達成するために請求項１の発明は、
被測定信号のジッタを測定するデジタル式のジッタアナライザにおいて、
前記被測定信号のジッタを所定の測定周期で測定するジッタ測定回路と、
このジッタ測定回路に与える測定周期を設定する測定周期設定部と、
この測定周期および前記ジッタ測定回路での測定値をそれぞれ保存するメモリ部と、
ジッタ変化量と測定周期と分割数の関係を規定したメータ更新周期変換テーブルと、
測定周期ごとに、前記メモリ部に保存のデータからジッタ変化量を求め、前記メモリ部およびメータ更新周期変換テーブルを参照して前記分割数を決定し、その分割数に応じてメータ駆動用の補間データを作成し、測定周期を分割数で割った間隔で順次出力するデータ補間処理部と、
この補間データに応じて、パネル表面に取付けられているアナログ式のメータを駆動するメータ制御手段
を具備し、デジタル方式で測定したジッタがアナログ式のメータ上では連続的な動きで指示されるように構成したことを特徴とする。
【０００７】
このような構成によれば、ジッタ測定回路で測定したジッタ量で一気にメータの指針を動かすのではなく、ジッタ変化量を分割した補間データでメータを駆動するため、メータの指針は段階的に滑らかに動くことになる。
また、ジッタ測定およびデータ処理はデジタル方式で行われるため、再現性に優れ、確度にも優れたジッタアナライザが実現できる。
【０００９】
また、前記メモリ部は、請求項２のように、ジッタ測定回路で測定した今回値と前回値とを個別に保存でき、前記データ補間処理部は前記前回値と今回値との差分からジッタ変化量を求めることができるように構成される。
【００１０】
更に、前記測定周期設定部は、請求項３のように、パネル面に設けられた押しボタンスイッチを操作することにより測定周期の値が設定できるように構成され、測定周期の設定操作が容易にできるようにしてある。
【００１１】
【発明の実施の形態】
以下図面を用いて本発明を詳しく説明する。図１は本発明に係るジッタアナライザの一実施例を示す構成図、図２はジッタアナライザの正面パネルの一具体例である。
【００１２】
図１において、１は測定周期を設定する測定周期設定部、２はジッタ測定回路、３は測定データの今回値を保持する測定データメモリ、４は測定データの前回値を保持する前回データメモリ、５は測定周期を保持する測定周期メモリである。なお、これら３つのメモリ３，４，５からなる部分をここではメモリ部と呼ぶ。
６はデータ補間処理部、７はメータ更新周期変換テーブル、８はメータ制御手段、９はメータである。
【００１３】
測定周期設定部１は、測定周期を設定するもので、ジッタアナライザのパネル面には図２に示すように測定周期の設定値が表示される表示部１１と、測定周期の値を増減するための押しボタンスイッチ１２が設けられている。設定した測定周期は、測定周期メモリ５に保存される。
【００１４】
ジッタ測定回路２は、図２のように右下部に設けられたデータ入力端子２１とクロック入力端子２２から入力される被測定信号のジッタ（DATA-CLOCKジッタという）を測定周期設定部１で指定された周期ごとに測定する機能を有し、その測定データすなわちジッタ量は測定データメモリ３に記憶される。
【００１５】
前回データメモリ４は、測定データの前回値（１測定周期前の測定データ）を記憶するメモリである。データ補間処理部６は、測定データメモリ３と前回データメモリ４と測定周期メモリ５およびメータ更新周期変換テーブル７にそれぞれ保存されたデータを参照して最適な更新周期を決定し、その更新周期で出力する補間データを求める。
【００１６】
なお、ここでは、測定周期設定部１と、メモリ３，４，５と、データ補間処理部６と、メータ更新周期変換テーブル７からなる部分を補間データ作成部と呼ぶ。
【００１７】
メータ制御手段８はデータ補間処理部６で求められた補間データでメータ９を駆動する。メータ９は図２に示すようにパネル表面に取付けられている。
【００１８】
このような構成における動作を図３および図４を参照して次に説明する。なお、図３はタイムチャート、図４はメータ更新周期変換テーブルとそれに関連した動作を説明するための図である。
測定周期設定部１で測定周期を例えば１．０秒（ｓｅｃ）に設定すると、その設定周期は測定周期メモリ５に保持される（図３のステップＳ１）。
【００１９】
ジッタ測定回路２ではデータ入力端子２１とクロック入力端子２２に加えられる入力信号からDATA-CLOCKジッタを測定する（図３のステップＳ２）。測定されたジッタの値（またはジッタ量ともいう）例えば３．３ｎｓｅｃは測定データメモリ３に今回値として格納される。前回データメモリ４にはこの場合測定前の値０．０ｎｓｅｃが保持されている。
【００２０】
データ補間処理部６は、前回データメモリ４に保存の値と測定データメモリ３に保存の測定値（３．３ｎｓｅｃ）および測定周期メモリ５に保存の測定周期（１．０ｓｅｃ）を読み出し（図３のステップＳ３）、まずジッタの変化量（３．３−０．０ｎｓｅｃ）を演算により求める（図３のステップＳ４）。
【００２１】
続いて、メータ更新周期変換テーブル７を参照し（図３のステップＳ５）、ジッタ変化量３．３ｎｓｅｃおよび測定周期１．０ｓｅｃの条件に適合する最適な更新周期（換言すれば分割数１０）を取得する（図３のステップＳ６）。
【００２２】
データ補間処理部６は、前記ジッタ変化量３．３ｎｓｅｃを１０分割し、その分割値を補間データとして１００ｍｓｅｃ（測定周期１ｓｅｃの１／１０）間隔で順次出力する（図３のステップＳ７，Ｓ８）。
メータ制御手段８は補間データを受け取り、これを電圧信号に変えてメータ９に加える。メータ９はこのように１０回に分けて与えられる補間データで１０段階に駆動され、指針は連続的に動いて最終的に３．３ｎｓｅｃを指示する。
【００２３】
図４はメータ更新周期変換テーブル７とそれに関連する動作を説明するための図である。メータ更新周期変換テーブル７はジッタ変化量と測定周期の範囲と最適な分割数の関係をテーブル化したものである。
【００２４】
上記実施例に記載した最初の測定において、データ補間処理部６は、メータ更新周期変換テーブルでジッタ変化量３．３ｎｓｅｃと測定周期１ｓｅｃが該当する行を見つけ、当該行から１０分割という分割数を得る。
【００２５】
２回目の測定においては次の通りである。最初の測定から１．０ｓｅｃ後に前回データメモリ４へ測定データメモリ３に保存されていた３．３ｎｓｅｃが移され、測定データメモリ３には２回目の測定ジッタ量（３．４ｎｓｅｃであったとする）が格納される。
データ補間処理部６ではジッタの変化量０．１ｎｓｅｃ（＝３．４−３．３）が計算され、メータ更新周期変換テーブル７を参照してジッタ変化量０〜０．２ｎｓｅｃ、測定周期８００ｍｓｅｃ〜２．５０ｓｅｃの該当行から分割数１０を得る。
【００２６】
２回目の測定から１．０ｓｅｃ後には３回目の測定が行われ、前回と同様に前回データメモリ４へ測定データメモリ３に保存されていた３．４ｎｓｅｃが移され、測定データメモリ３には３回目の測定ジッタ量（３．０ｎｓｅｃであったとする）が格納される。
データ補間処理部６ではジッタの変化量０．１ｎｓｅｃ（＝３．４−３．３）が計算され、メータ更新周期変換テーブル７を参照してジッタ変化量０〜０．２ｎｓｅｃ、測定周期８００ｍｓｅｃ〜２．５０ｓｅｃの該当行から分割数１０を得る。
【００２７】
なお、測定周期がメータ更新周期変換テーブルに記載の周期よりも短いときはメータ９の特性により指針が追従しないことを意味しており、その場合は測定データメモリ３と前回データメモリ４の差分を分割せずにメータ制御手段８はメータ９を動作させる。
【００２８】
このように測定周期ごとにメータの最適制御パターンを決定し、それを繰り返すことによって滑らかなメータの動きを実現することができる。
【００２９】
なお、本発明は上記実施例に限定されることなく、その本質から逸脱しない範囲で更に多くの変更、変形をも含むものである。
【００３０】
【発明の効果】
以上説明したように本発明によれば次のような効果がある。
（１）デジタル測定方式でありながらもメータをアナログ測定のように滑らかに動作させることができる。
（２）メータ表示を採用しているが測定やデータ処理はデジタル方式で行われるため、誤差や変動が少なく、再現性に優れ、確度の良い測定が可能である。
（３）デジタル方式を採用しているため、アナログ式ジッタメータのように追従時間を気にすることなく、検査が行える。このため検査効率の向上と生産タクトタイムの向上が図れ、品質の向上が期待できる。
【図面の簡単な説明】
【図１】本発明に係るジッタアナライザの一実施例を示す構成図である。
【図２】本発明のジッタアナライザの正面パネルの一例を示す構成図である。
【図３】動作を説明するためのタイムチャートである。
【図４】メータ更新周期変換テーブルの一例とその関連動作を説明するための図である。
【符号の説明】
１  測定周期設定部
２  ジッタ測定回路
３  測定データメモリ
４  前回データメモリ
５  測定周期メモリ
６  データ補間処理部
７  メータ更新周期変換テーブル
８  メータ制御手段
９  メータ
【図１】
0004040246.tif 000002
【図２】
0004040246.tif 000003
【図３】
0004040246.tif 000004
【図４】
0004040246.tif 000005